(57)【要約】【課題】一対の導体を利用して、少なくとも２カ所の漏液の発生を検出することが可能な漏液検出装置を提供する。【解決手段】漏液検出装置は、１点目の漏液発生時に電圧センサ１４及び電圧センサ１６から取得した電圧値Ｖａ，Ｖｂに基づいて抵抗線３０の接地側の端部である接点Ｐａと１点目の漏液点との間の距離αを算出し、距離αの算出後、さらに電圧センサ１４及び電圧センサ１６からそれぞれ電圧値Ｖａ’，Ｖｂ’を取得し、抵抗線３０の接地側の端部である接点Ｐａと２点目の漏液点との間の距離βを算出し、距離βを算出後、１点目の距離αと２点目の距離βとの差が閾値以上であれば、２点目の漏液が発生したと判断して、距離βに基づいて２点目の漏液位置を通知する。【選択図】図１
2010210438.tif 000002
【特許請求の範囲】
【請求項１】
一端が所定レベルの漏液検知用電流を出力する電源部に接続され、他端が抵抗を介して接地される、配線長に比例した抵抗値を有する抵抗線と、
前記抵抗の両端の電圧値を測定する第１電圧測定部と、
一端が開放状態で、他端が接地され、且つ漏液発生前は前記抵抗線と絶縁状態にあり、漏液発生時に前記抵抗線と導通する検知線と、
前記検知線上に配線され、１点目の漏液発生時は前記抵抗線上の１点目の漏液点と前記抵抗の接地点側の端部との間の電圧値として電圧を測定し、且つ２点目の漏液発生時は前記検知線上の１点目の漏液点と２点目の漏液点との中点と前記抵抗の接地側の端部との間の電圧値として電圧を測定する第２電圧測定部と、
１点目の漏液発生時に前記第１電圧測定部で測定された電圧値及び前記第２電圧測定部で測定された電圧値と、１点目の漏液発生時以降に前記第１電圧測定部で測定される電圧値及び前記第２電圧測定部で測定される電圧値とを比較することで、２点目の漏液の発生を検出する漏液検出部と、
を備えることを特徴とする漏液検出装置。
【請求項２】
請求項１に記載の漏液検出装置において、
前記漏液検出部は、
１点目の漏液発生時に前記第１電圧測定部で測定される電圧値及び前記第２電圧測定部で測定される電圧値をパラメータとして前記抵抗線の他端と前記抵抗線上の１点目の漏液点との距離αを算出し、且つ１点目の漏液発生時に前記第１電圧測定部で測定された電圧値及び前記第２電圧測定部で測定された電圧値、並びに１点目の漏液発生時以降に前記第１電圧測定部で測定される電圧値及び前記第２電圧測定部で測定される電圧値をそれぞれパラメータとして、前記抵抗線の他端と前記抵抗線上の２点目の漏液が発生したと仮定した場合の２点目の漏液点との距離βを算出し、前記距離αと前記距離βとの差分が予め定められた閾値以上の場合、２点目の漏液が発生したと判断して、２点目の漏液位置を前記距離βに基づいて外部に通知する、
ことを特徴とする漏液検出装置。
【請求項３】
請求項２に記載の漏液検出装置において、
前記漏液検出部は、
前記抵抗の抵抗値をＲ１、１点目の漏液発生時に前記第１電圧測定部で測定される電圧値及び前記第２電圧測定部で測定される電圧値をそれぞれＶａ，Ｖｂ、及び前記抵抗線の単位長あたりの抵抗値をＸとした場合、前記距離αを
α＝Ｒ１（Ｖｂ−Ｖａ）／（Ｘ・Ｖａ）
により算出し、
さらに、１点目の漏液発生時以降に前記第１電圧測定部で測定される電圧値及び前記第２電圧測定部で測定される電圧値をそれぞれＶａ’，Ｖｂ’、前記電源部の出力電圧をＶｏとした場合、前記距離βを
β＝（２Ｒｃ＋（Ｒｚ−Ｒｂ）−Ｒｘ）／Ｘ
ただし、
Ｒｃ＝（Ｖｂ’−Ｖａ’）・Ｒ１／Ｖａ’
Ｒｚ＝（Ｖｏ−Ｖａ）・Ｒ１／Ｖａ
Ｒｂ＝（Ｖｏ−Ｖａ’）・Ｒ１／Ｖａ’
Ｒｘ＝（Ｖｂ−Ｖａ）・Ｒ１／Ｖａ
により算出することを特徴とする漏液検出装置。
【発明の詳細な説明】
【技術分野】
【０００１】
本発明は、漏液を検出する漏液検出装置に関する。
【背景技術】
【０００２】
漏液による損害を未然に防ぐ必要があるコンピュータルームや物品貯蔵庫などの場所には、漏液を検出する漏液検出システムが設置されることがある。
【０００３】
特許文献１には、漏液検出箇所に配置される漏液センサと、漏液センサの出力から漏液を検出する漏液検出器とを備えた漏液検出システムが開示されている。
【０００４】
特許文献１に開示された漏液検出システムにおいて、漏液センサは、絶縁被膜内に２本の導体を一定の間隔を保って収納する。絶縁被膜は、両導体それぞれの側縁で部分的に欠如しており、欠如部分から両導体が部分的に外部に露出され、それぞれの導体の露出部分が漏液検出電極となる。漏液検出器は、この電極間に交流信号を印加すると、漏液が発生した場合に電極間が漏液を介して導通し、閉回路状態となるため、印加された交流信号に応じた検出信号を検出することができ、漏液の発生を検知することができる。
【０００５】
また、特許文献２には、一対の導体から成る電極線を有する検知線と、定電流電源と、電圧測定手段と、判定手段とを備え、漏液検知時に検知線の一端において電極線間に定電流電源を接続し、電圧測定手段を検知線の低圧側電極線の近端−遠端間に接続して、電圧測定手段により測定される電圧値から判定手段が漏液位置を算定する漏液検出装置が開示されている。
【先行技術文献】
【特許文献】
【０００６】
【特許文献１】特開２０００−１３１１７６号公報
【特許文献２】特開平７−１１３７１９号公報
【発明の概要】
【発明が解決しようとする課題】
【０００７】
上記の通り、一対の導体を利用して、導体間の導通が発生したことに対応して、一カ所の漏液の発生或いは一カ所の漏洩位置を検出する漏液検出装置が知られている。
【０００８】
しかしながら、従来の漏液検出装置では、一対の導体を利用して、複数箇所の漏液の発生や複数箇所の漏液位置を連続して検出することは考慮されていない。
【０００９】
本発明は、一対の導体を利用して、少なくとも２カ所の漏液の発生を検出することが可能な漏液検出装置を提供することを目的とする。
【課題を解決するための手段】
【００１０】
本発明に係る漏液検出装置は、一端が所定レベルの漏液検知用電流を出力する電源部に接続され、他端が抵抗を介して接地される、配線長に比例した抵抗値を有する抵抗線と、前記抵抗の両端の電圧値を測定する第１電圧測定部と、一端が開放状態で、他端が接地され、且つ漏液発生前は前記抵抗線と絶縁状態にあり、漏液発生時に前記抵抗線と導通する検知線と、前記検知線上に配線され、１点目の漏液発生時は前記抵抗線上の１点目の漏液点と前記抵抗の接地点側の端部との間の電圧値として電圧を測定し、且つ２点目の漏液発生時は前記検知線上の１点目の漏液点と２点目の漏液点との中点と前記抵抗の接地側の端部との間の電圧値として電圧を測定する第２電圧測定部と、１点目の漏液発生時に前記第１電圧測定部で測定された電圧値及び前記第２電圧測定部で測定された電圧値と、１点目の漏液発生時以降に前記第１電圧測定部で測定される電圧値及び前記第２電圧測定部で測定される電圧値とを比較することで、２点目の漏液の発生を検出する漏液検出部と、を備えることを特徴とする。
【００１１】
本発明に係る漏液検出装置の一つの態様では、漏液検出部は、１点目の漏液発生時に前記第１電圧測定部で測定される電圧値及び前記第２電圧測定部で測定される電圧値をパラメータとして前記抵抗線の他端と前記抵抗線上の１点目の漏液点との距離αを算出し、且つ１点目の漏液発生時に前記第１電圧測定部で測定された電圧値及び前記第２電圧測定部で測定された電圧値、並びに１点目の漏液発生時以降に前記第１電圧測定部で測定される電圧値及び前記第２電圧測定部で測定される電圧値をそれぞれパラメータとして、前記抵抗線の他端と前記抵抗線上の２点目の漏液が発生したと仮定した場合の２点目の漏液点との距離βを算出し、前記距離αと前記距離βとの差分が予め定められた閾値以上の場合、２点目の漏液が発生したと判断して、２点目の漏液位置を前記距離βに基づいて外部に通知する、ことを特徴とする。
【００１２】
本発明に係る漏液検出装置の一つの態様では、前記漏液検出部は、前記抵抗の抵抗値をＲ１、１点目の漏液発生時に前記第１電圧測定部で測定される電圧値及び前記第２電圧測定部で測定される電圧値をそれぞれＶａ，Ｖｂ、及び前記抵抗線の単位長あたりの抵抗値をＸとした場合、前記距離αをα＝Ｒ１（Ｖｂ−Ｖａ）／（Ｘ・Ｖａ）により算出し、さらに、１点目の漏液発生時以降に前記第１電圧測定部で測定される電圧値及び前記第２電圧測定部で測定される電圧値をそれぞれＶａ’，Ｖｂ’、前記電源部の出力電圧をＶｏとした場合、前記距離βをβ＝（２Ｒｃ＋（Ｒｚ−Ｒｂ）−Ｒｘ）／Ｘ、だたし、Ｒｃ＝（Ｖｂ’−Ｖａ’）・Ｒ１／Ｖａ’、Ｒｚ＝（Ｖｏ−Ｖａ）・Ｒ１／Ｖａ、Ｒｂ＝（Ｖｏ−Ｖａ’）・Ｒ１／Ｖａ’、Ｒｘ＝（Ｖｂ−Ｖａ）・Ｒ１／Ｖａにより算出することを特徴とする。
【発明の効果】
【００１３】
本発明によれば、１点目の漏液に加えて２点目の漏液が発生した場合にも当該２点目の漏液の発生を検出することができる。
【図面の簡単な説明】
【００１４】
【図１】本実施形態に係る漏液検出装置の回路構成を示す図である。
【図２】本実施形態に係る漏液検出装置が備える制御部の機能ブロックを示す図である。
【図３】抵抗線と検知線とが一点において漏液が発生した場合の回路状態を示す図である。
【図４】抵抗線と検知線とが、１点目の漏液点に加えて、１点目の漏液点より電源部側において漏液により導通した場合の回路状態を示す図である。
【図５】抵抗線と検知線とが、１点目の漏液点に加えて、１点目の漏液点より抵抗線の接地側の端部側において漏液により導通した場合の回路状態を示す図である。
【図６】図４に示す回路における抵抗線及び漏液抵抗により構成される合成抵抗について説明するための図である。
【図７】図５に示す回路における抵抗線及び漏液抵抗により構成される合成抵抗について説明するための図である。
【図８】漏液発生時に漏液位置算出部が実行する処理手順を示すフローチャートである。
【発明を実施するための形態】
【００１５】
本発明を実施するための形態（以下、「実施形態」と称す）について、以下、図面を用いて説明する。
【００１６】
図１は、本実施形態に係る漏液検出装置の回路構成を示す図である。
【００１７】
図１において、定電圧電流を出力する電源部２０には、信号線Ｌの一端が接続され、所定レベルの漏液検知用電流として電圧値Ｖｏの漏液検知用電流を信号線Ｌを介して出力する。信号線Ｌには、抵抗値Ｒｚの抵抗線３０、スイッチ１２、抵抗値Ｒ１の抵抗３２が直列に接続されている。より具体的には、信号線Ｌの他端に、抵抗線３０の一端が接続され、抵抗線３０の他端に、スイッチ１２の一端が接続され、スイッチ１２の他端に抵抗３２の一端が接続され、抵抗３２の他端が接地されている。
【００１８】
さらに、抵抗線３０とスイッチ１２との間の接点Ｐａには、検知線Ｌａの一端が接続され、検知線Ｌａの他端は、電圧センサ１４を介して接点Ｐｂに接続され接地される。言い換えれば、電圧センサ１４は、直列に接続されたスイッチ１２及び抵抗３２と、検知線Ｌａを介して並列に接続され、接点Ｐａと接点Ｐｂとの間の電圧値Ｖａを検出する。
【００１９】
また、検知線Ｌｂは、漏液が発生していない場合には抵抗線３０と絶縁状態にあり、検知線Ｌｂの一端は、開放され、他端は電圧センサ１６及び接点Ｐｂを介して接地される。電圧センサ１６は、抵抗線３０と検知線Ｌｂとが漏液により導通した場合、抵抗線３０上の漏液点Ｌｂ１及び接点Ｐｂ間の電圧値Ｖｂを検出する。なお、漏液検出装置を、漏液を検出する漏液検出センサと、漏液検出センサの検出内容に基づいて漏液の有無の判定或いは漏液発生時における漏液の位置の算出を行う本体制御部とにより構成する場合、図４において、信号線Ｌ、抵抗線３０、検知線Ｌｂが漏液検知センサとして機能し、制御部１０、電源部２０、電圧センサ１４，１６、検知線Ｌａ、スイッチ１２及び抵抗３２が、本体制御部として機能する。
【００２０】
制御部１０は、マイクロコンピュータなどにより構成され、スイッチ１２のオンオフを制御すると共に、電圧センサ１４，１６を介して取得した電圧値Ｖａ，Ｖｂに基づいて漏液位置の算出を行う。
【００２１】
図２は、制御部１０の機能ブロックを示す図である。
【００２２】
図２において、制御部１０は、ＣＰＵ１１０、ＲＯＭ１１２、ＲＡＭ１１４、記憶装置１２０、及び入出力インタフェース１５０を備え、ＣＰＵ１１０、ＲＯＭ１１２、ＲＡＭ１１４、記憶装置１２０、及び入出力インタフェース１５０は、通信バス１６０を介して接続される。
【００２３】
ＣＰＵ１１０は、ＲＯＭ１１２に記憶されたＢＩＯＳプログラムなどの基本的な制御プログラムをＲＡＭ１１４に展開して、さらに記憶装置１２０に記憶された漏液の検出及び漏液の位置を算出するためのプログラム１３０をＲＡＭ１１４に展開して、プログラム１３０を実行し、漏液の位置を算出する。
【００２４】
本実施形態において、記憶装置１２０は、プログラム１３０として漏液検出部として機能する漏液位置算出部１３２を記憶する。漏液位置算出部１３２は、入出力インタフェース１５０を介して電圧センサ１４，１６が測定した電圧値を取得し、取得した電圧値に基づいて漏液を検出するとともに漏液の位置を算出する。漏液位置の算出処理についての詳細は後述する。
【００２５】
図３は、抵抗線３０と検知線Ｌｂとが、漏液点Ｌｂ１において漏液により導通した場合の回路状態を示す。即ち、抵抗線３０と検知線Ｌｂとが一点において漏液が発生した場合の回路状態を示す。
【００２６】
図４は、抵抗線３０と検知線Ｌｂとが、漏液点Ｌｂ１に加えて、漏液点Ｌｂ１より電源部２０側の漏液点Ｌｂ２において漏液により導通した場合の回路状態を示す。即ち、抵抗線３０と検知線Ｌｂとが二点において漏洩が発生した場合の回路状態を示す。
【００２７】
図５は、抵抗線３０と検知線Ｌｂとが、漏液点Ｌｂ１に加えて、漏液点Ｌｂ１より接点Ｐａ側の漏液点Ｌｂ２において漏液により導通した場合の回路状態を示す。
【００２８】
本実施形態では、漏液検出装置が、一点目の漏液が発生した後、二点目の漏液が発生した場合に、当該二点目の漏液の検出及び当該二点目の漏液の漏液位置の算出を行う。
【００２９】
まず、図３を参照して、一点目の漏液が発生した場合に、漏液位置算出部１３２が一点目の漏液の位置（抵抗線３０の他端（接点Ｐａ）からの距離α）を算出する原理について説明する。
【００３０】
抵抗線３０の抵抗値は、１メートル単位ＸΩ、接点Ｐａから漏液点Ｌｂ１までの抵抗線３０の抵抗値、つまり１点目の漏液位置抵抗値はＲｘ、抵抗３２の抵抗値はＲ１、電源部２０から出力される定電圧の電流の電流値Ｉｏ、漏液抵抗の抵抗値はＲｓとする。
【００３１】
漏液抵抗値Ｒｓに流れる電流は、抵抗３２に流れる電流に比べて非常に小さいため、電流値Ｉｏは、（１）式で求めることができる。
【００３２】
Ｉｏ＝Ｖａ／Ｒ１    ・・・（１）
【００３３】
また、抵抗値Ｒｘは、（２）式で求めることができる。
【００３４】
Ｒｘ＝（Ｖｂ−Ｖａ）／Ｉａ      ・・・（２）
【００３５】
よって、一点目の漏液の位置に対応する距離αは、（１），（２）式に基づいて（３）式により求めることができる。
【００３６】
α＝Ｒｘ／Ｘ＝Ｒ１（Ｖｂ−Ｖａ）／（Ｘ×Ｖａ）      ・・・（３）
【００３７】
続いて、図４を参照して、２点目の漏液が１点目の漏液点Ｌｂ１より電源部２０側で発生した場合に、漏液位置算出部１３２が２点目の漏液の位置（抵抗線３０の接点Ｐａからの距離β）を算出する原理について説明する。
【００３８】
ここで、１点目の漏液発生時以降に電圧センサ１４及び電圧センサ１６で測定される電圧値をそれぞれＶａ’，Ｖｂ’、２点目の漏液抵抗の抵抗値を１点目の漏液抵抗の抵抗値と同様Ｒｓ、漏液点Ｌｂ２から漏液点Ｌｂ１までの抵抗線３０の抵抗値をＲｙ、漏液点Ｌｂ２から接点Ｐａまでの抵抗線３０の抵抗値、つまり２点目が発生した際の漏液位置抵抗値をＲｗ、抵抗線３０に流れる電流をＩｂ（≠Ｉｏ）とする。
【００３９】
ここで、２点目の漏液位置抵抗値Ｒｗは、式（４）で表すことができる。
【００４０】
Ｒｗ＝Ｒｙ＋Ｒｘ      ・・・（４）
【００４１】
また、図６は、抵抗線３０と１点目及び２点目の漏液抵抗値Ｒｓ，Ｒｓを示した回路である。図６に示すように、抵抗値Ｒｙと、漏液抵抗値Ｒｓ，Ｒｓとは並列回路を構成する。
【００４２】
さらに、抵抗値Ｒｙ及び漏液抵抗値Ｒｓ，Ｒｓの合成抵抗値をＲａ、合成抵抗値Ｒａを含む抵抗線３０の全体の合成抵抗値をＲｂ（≠Ｒｚ）とした場合、合成抵抗値Ｒｂは、（５）式により表すことができる。
【００４３】
Ｒｂ＝（Ｒｚ−Ｒｙ−Ｒｘ）＋Ｒａ＋Ｒｘ
＝Ｒｚ−Ｒｙ＋Ｒａ                ・・・（５）
【００４４】
また、電圧値Ｖａ’は、（６）式により求めることができる。
【００４５】
Ｖａ’＝Ｒ１×Ｉｂ      ・・・（６）
【００４６】
さらに、合成抵抗値Ｒａの電圧値をＶｃとすると、電圧値Ｖｃは、（７）式により求めることができる。
【００４７】
Ｖｃ＝Ｒａ×Ｉｂ      ・・・（７）
【００４８】
ここで、電圧センサ１６で検出される電圧値Ｖｂ’に現れる電圧値Ｖｃの電圧成分は、漏液抵抗値Ｒｓで分圧されているため、電圧値Ｖｃの１／２となる。したがって、電圧値Ｖｂ’は、（８）式により求めることができる。
【００４９】
Ｖｂ’＝Ｖｃ／２＋（Ｒｘ＋Ｒ１）×Ｉｂ      ・・・（８）
【００５０】
さらに、抵抗線３０の漏液点Ｌｂ２及び接点Ｐａ間の電圧値は、（６）〜（８）式より、（９）式で求められる。
【００５１】
Ｖｂ’−Ｖａ’＝Ｒａ／２＋ＲｘＩｂ      ・・・（９）
【００５２】
また、電圧値（Ｖｂ’−Ｖａ’）に対する抵抗値をＲｃとすると、（９）式を用いて、（１０）式で表すことができる。
【００５３】
Ｒｃ＝（Ｖｂ’−Ｖａ’）／Ｉｂ＝Ｒａ／２＋Ｒｘ      ・・・（１０）
【００５４】
（１０）式をＲａで展開すると、（１１）式で表すことができる。
【００５５】
Ｒａ＝２Ｒｃ−２Ｒｘ      ・・・（１１）
【００５６】
また、抵抗値Ｒｙは、（５）式より、（１２）式で表すことができる。
【００５７】
Ｒｙ＝Ｒａ＋（Ｒｚ−Ｒｂ）      ・・・（１２）
【００５８】
よって、２点目の漏液位置抵抗値Ｒｗは、（１）式に（１１）式及び（１２）式を代入することで、（１３）式で表すことができる。
【００５９】
Ｒｗ＝２Ｒｃ＋（Ｒｚ−Ｒｂ）−Ｒｘ      ・・・（１３）
【００６０】
以上より、２点目の漏液が１点目の漏液点Ｌｂ１より電源部２０側で発生した場合における２点目の漏液位置βは、（１４）式で求めることができる。
【００６１】
β＝Ｒｗ／Ｘ＝（２Ｒｃ＋（Ｒｚ−Ｒｂ）−Ｒｘ）／Ｘ      ・・・（１４）
【００６２】
以上、上記では、２点目の漏液点Ｌｂ２が１点目の漏液点Ｌｂ１より電源部２０側で発生した場合の例について説明した。
【００６３】
続いて、図６に示すように、２点目の漏液点Ｌｂ２が１点目の漏液点Ｌｂ１より接点Ｐａ側で発生した場合の例について説明する。
【００６４】
ここで、漏液点Ｌｂ１から漏液点Ｌｂ２までの間の抵抗線３０の抵抗値をＲｙ’とすると、２点目の漏液位置抵抗値Ｒｗは、式（１５）で表すことができる。
【００６５】
Ｒｗ＝Ｒｘ−Ｒｙ’      ・・・（１５）
【００６６】
また、図７は、抵抗線３０と１点目及び２点目の漏液抵抗値Ｒｓ，Ｒｓを示す回路である。図７に示すように、抵抗値Ｒｙ’と、漏液抵抗値Ｒｓ，Ｒｓとは並列回路を構成する。
【００６７】
さらに、抵抗値Ｒｙ’及び漏液抵抗値Ｒｓ，Ｒｓの合成抵抗値をＲａ、合成抵抗値Ｒａを含む抵抗線３０の全体の合成抵抗値をＲｂ（≠Ｒｚ）とした場合、合成抵抗値Ｒｂは、（１６）式により表すことができる。
【００６８】
Ｒｂ＝（Ｒｚ−Ｒｘ）＋Ｒａ＋Ｒｗ      ・・・（１６）
【００６９】
（１６）式に（１５）式を代入することで、抵抗値Ｒｂは、（１７）式で表すことができる。
【００７０】
Ｒｂ＝Ｒｚ−Ｒｙ’＋Ｒａ      ・・・（１７）
【００７１】
また、電圧値Ｖａ’は、（１８）式により求めることができる。
【００７２】
Ｖａ’＝Ｒ１×Ｉｂ      ・・・（１８）
【００７３】
さらに、合成抵抗値Ｒａの電圧値をＶｃとすると、電圧値Ｖｃは、（１９）式により求めることができる。
【００７４】
Ｖｃ＝Ｒａ×Ｉｂ      ・・・（１９）
【００７５】
ここで、電圧センサ１６で検出される電圧値Ｖｂ’に現れる電圧値Ｖｃの電圧成分は、漏液抵抗値Ｒｓで分圧されているため、電圧値Ｖｃの１／２となる。したがって、電圧値Ｖｂ’は、（２０）式により求めることができる。
【００７６】
Ｖｂ’＝Ｖｃ／２＋（Ｒｗ＋Ｒ１）×Ｉｂ      ・・・（２０）
【００７７】
さらに、抵抗線３０の漏液点Ｌｂ２及び接点Ｐａ間の電圧値は、（１８）式及び（２０）式より、（２１）式で求められる。
【００７８】
Ｖｂ’−Ｖａ’＝Ｖｃ／２＋ＲｗＩｂ      ・・・（２１）
【００７９】
また、電圧値（Ｖｂ’−Ｖａ’）に対する抵抗値をＲｃとすると、（１９）式及び（２１）式を用いて、（２２）式で表すことができる。
【００８０】
Ｒｃ＝（Ｖｂ’−Ｖａ’）／Ｉｂ＝Ｒａ／２＋Ｒｗ      ・・・（２２）
【００８１】
（２２）式をＲａで展開すると、（２３）式で表すことができる。
【００８２】
Ｒａ＝２Ｒｃ−２Ｒｗ      ・・・（２３）
【００８３】
また、抵抗値Ｒｙ’は、（１７）式より、（２４）式で表すことができる。
【００８４】
Ｒｙ’＝Ｒａ＋（Ｒｚ−Ｒｂ）      ・・・（２４）
【００８５】
よって、２点目の漏液位置抵抗値Ｒｗは、（１５）式及び（２４）式に基づいて、（２５）式で表すことができる。
【００８６】
Ｒｗ＝Ｒｘ−Ｒａ−（Ｒｚ−Ｒｂ）      ・・・（２５）
【００８７】
さらに、（２５）式に（２３）式を代入し、Ｒｗで展開することで、Ｒｗは、（２６）式で表すことができる。
【００８８】
Ｒｗ＝２Ｒｃ＋（Ｒｚ−Ｒｂ）−Ｒｘ      ・・・（２６）
【００８９】
以上より、２点目の漏液位置βは、漏液点Ｌｂ２の位置が漏液点Ｌｂ１より接点Ｐａ側にある場合も電源部２０側にある場合と同様に、（２７）式で表すことができる。
【００９０】
β＝Ｒｗ／Ｘ＝（２Ｒｃ＋（Ｒｚ−Ｒｂ）−Ｒｘ）／Ｘ      ・・・（２７）
【００９１】
ここで、抵抗値Ｒｃ，Ｒｚ，Ｒｂ，Ｒｘは、それぞれ上記の式等に基づいて以下の式により求めることができる。
【００９２】
２点目の漏液発生時の電圧値（Ｖｂ’−Ｖａ’）に対する抵抗値：Ｒｃ＝（Ｖｂ’−Ｖａ’）／Ｉｂ
１点目の漏液発生時の抵抗線３０の両端間の抵抗値：Ｒｚ＝（Ｖｏ−Ｖａ）／Ｉｏ
２点目の漏液発生時の抵抗線３０の両端間の抵抗値：Ｒｂ＝（Ｖｏ−Ｖａ’）／Ｉｂ
１点目の漏液発生時の漏液位置抵抗値：Ｒｘ＝（Ｖｂ−Ｖａ）／Ｉｏ
【００９３】
以上の通り、漏液位置算出部１３２は、１点目の漏液発生時に算出した抵抗値Ｒｚ，Ｒｘを用いて、式（１４）（式（２７））に基づいて、２点目の漏液位置βを算出することができる。なお、電流値Ｉｏは、１点目の漏液発生時における電圧値Ｖａと、予め求められている抵抗３２の抵抗値Ｒ１とに基づいて、Ｖａ／Ｒ１により求めることができる。同様に、電流値Ｉｂは、２点目の漏液発生時における電圧値Ｖａ’と、予め求められている抵抗３２の抵抗値Ｒ１とに基づいて、Ｖａ’／Ｒ１により求めることができる。
【００９４】
よって、抵抗値Ｒｃ，Ｒｚ，Ｒｂ，Ｒｘは、それぞれ１点目の漏液発生時に電圧センサ１４，１６で測定される電圧値Ｖａ，Ｖｂ及び２点目の漏液発生時に電圧センサ１４，１６で測定される電圧値Ｖａ’，Ｖｂ’をパラメータとして以下の式により求めることができる。
【００９５】
２点目の漏液発生時の電圧値（Ｖｂ’−Ｖａ’）に対する抵抗値：Ｒｃ＝（Ｖｂ’−Ｖａ’）・Ｒ１／Ｖａ’      ・・・（Ａ）
１点目の漏液発生時の抵抗線３０の両端間の抵抗値：Ｒｚ＝（Ｖｏ−Ｖａ）・Ｒ１／Ｖａ      ・・・（Ｂ）
２点目の漏液発生時の抵抗線３０の両端間の抵抗値：Ｒｂ＝（Ｖｏ−Ｖａ’）・Ｒ１／Ｖａ’      ・・・（Ｃ）
１点目の漏液発生時の漏液位置抵抗値：Ｒｘ＝（Ｖｂ−Ｖａ）・Ｒ１／Ｖａ      ・・・（Ｄ）
【００９６】
したがって、２点目の漏液点Ｌｂ２は、１点目の漏液発生時及び２点目の漏液発生時に電圧センサ１４及び電圧センサ１６により測定されたそれぞれの電圧値Ｖａ，Ｖａ’，Ｖｂ，Ｖｂ’をパラメータとして、算出することができる。
【００９７】
図８は、漏液発生時に漏液位置算出部１３２が実行する処理手順を示すフローチャートである。
【００９８】
図８において、漏液位置算出部１３２は、例えば、電圧センサ１６において検出された電圧値Ｖｂが予め定められた所定値以上変化した場合に、漏液発生を検知する（Ｓ１００）。漏液発生の検知後、漏液位置算出部１３２は、スイッチ１２をオンして、電圧センサ１４及び電圧センサ１６において電圧測定を行い、電圧センサ１４及び電圧センサ１６からそれぞれ１点目の漏液発生時における電圧値Ｖａ，Ｖｂを取得し、一点目の漏液位置算出式（３）に基づいて１点目の漏液位置として、抵抗線３０の接地側の端部である接点Ｐａと１点目の漏液点Ｌｂ１との間の距離αを算出する（Ｓ１０２）。さらに、漏液算出部１３２は、式（Ｂ），（Ｄ）に基づいて抵抗値Ｒｚ，Ｒｘを算出し、ＲＡＭ１１４等のメモリに登録する（Ｓ１０４）。漏液位置算出部１３２は、算出した距離αに基づいて１点目の漏液位置を、例えば漏液検出装置が備える液晶ディスプレイ（不図示）に表示することで、ユーザに１点目の漏液が発生したことを通知する（Ｓ１０６）。
【００９９】
続いて、漏液位置算出部１３２は、例えば１点目の漏液の検知後予め定められた期間経過後に、１点目の漏液検知時以降の電圧値として、電圧センサ１４及び電圧センサ１６からそれぞれ電圧値Ｖａ’，Ｖｂ’を取得し、さらに、メモリに登録された抵抗値Ｒｚ，Ｒｘを読み出し、式（１４）（式（２７））に基づいて、抵抗線３０の接地側の端部である接点Ｐａと２点目の漏液が発生したと仮定した場合の２点目の漏液点Ｌｂ２との間の距離βを算出する（Ｓ１０８）。距離βを算出後、漏液位置算出部１３２は、距離αと距離βとの差が予め定められた閾値ＴＨ以上か否かを判定する（Ｓ１１０）。
【０１００】
判定の結果、距離αと距離βとの差が閾値ＴＨより小さければ（ステップＳ１１０の判定結果が否定「Ｎ」）、２点目の漏液が発生していないと判断して、一定期間経過後に再度、２点目の漏液位置βの算出を行う。
【０１０１】
一方、距離αと距離βとの差が閾値ＴＨ以上あれば（ステップＳ１１０の判定結果が肯定「Ｙ」）、漏液位置算出部１３２は、２点目の漏液が発生したと判断して、算出した距離βに基づいて２点目の漏液位置を、例えば漏液検出装置が備える液晶ディスプレイ（不図示）に表示することで、ユーザに２点目の漏液が発生したことを通知する（Ｓ１１２）。
【０１０２】
以上、本実施形態によれば、２点目の漏液が発生した場合に、１点目の漏液発生時及び２点目の漏液発生時に電圧センサ１４及び電圧センサ１６により測定されたそれぞれの電圧値Ｖａ，Ｖａ’，Ｖｂ，Ｖｂ’をパラメータとして抵抗線３０の接点Ｐａと２点目の漏液点Ｌｂ２との間の距離βを算出し、距離βに基づいて２点目の漏液位置を通知することができる。
【産業上の利用可能性】
【０１０３】
本発明は、２点目の漏液が発生した場合に当該２点目の漏液を検出することができるので、漏液の発生を検出する漏液検出装置等に適用することができる。
【符号の説明】
【０１０４】
Ｌ      信号線
Ｌｂ    検知線
１０    制御部
１２    スイッチ
１４，１６  電圧センサ
２０    電源部
３０    抵抗線
３２    抵抗
１１０  ＣＰＵ
１１２  ＲＯＭ
１１４  ＲＡＭ
１２０  記憶装置
１３０  プログラム
１３２  漏液位置算出部（漏液検出部）
１５０  入出力インタフェース
１６０  通信バス
【図１】
2010210438.tif 000003
【図２】
2010210438.tif 000004
【図３】
2010210438.tif 000005
【図４】
2010210438.tif 000006
【図５】
2010210438.tif 000007
【図６】
2010210438.tif 000008
【図７】
2010210438.tif 000009
【図８】
2010210438.tif 000010